(57)【要約】【課題】プロジェクトの最終コストの予測精度を向上可能なプロジェクトコスト予測装置を得ること。【解決手段】出張経費の実績情報を取得する出張経費実績取得部２と、出張経費の実績情報を含む対象プロジェクトの出張経費の情報を記憶するためのプロジェクト基本情報記憶部３と、社内人工費の実績情報を取得する社内人工費実績取得部５と、社内人工費の実績情報を含むタスク情報を記憶するためのタスク情報記憶部６と、個別購入費の実績情報を取得する個別購入費実績取得部８と、個別購入費の実績情報を含む個別購入情報を記憶するための個別購入情報記憶部９と、出張経費、社内人工費、および個別購入費の最終コストの予測値をそれぞれの発生推移パターンに基づいて算出し、算出した３つの予測値を加算してプロジェクト最終コストの予測値を算出するコスト計算部１０と、を備える。【選択図】図１
2012238049.tif 000002
【特許請求の範囲】
【請求項１】
出張経費を管理する外部システムから対象プロジェクトで発生した出張経費の実績情報を取得する出張経費実績取得手段と、
対象プロジェクトの出張経費の予算情報および実績情報、当該プロジェクトの開始予定日および終了予定日、実際の開始日、の情報を記憶するためのプロジェクト基本情報記憶手段と、
作業時間に基づく作業者の人件費である社内人工費を管理する外部システムから対象プロジェクトのタスクで発生した社内人工費の実績情報を取得する社内人工費実績取得手段と、
対象プロジェクトのタスク毎の社内人工費の予算情報および実績情報、タスク毎の進捗率、の情報をタスク毎に記憶するためのタスク情報記憶手段と、
材料費および外注費を含む購入アイテムの個別購入費を管理する外部システムから対象プロジェクトで発生した個別購入費の実績情報を取得する個別購入費実績取得手段と、
購入アイテムを識別する購入ＩＤ、個別購入費の予算情報および実績情報を記憶するための個別購入情報記憶手段と、
前記プロジェクト基本情報記憶手段に記憶されている情報を読み出して、出張経費の発生推移パターンに基づいて出張経費の最終コストの予測値を算出し、前記タスク情報記憶手段に記憶されている情報を読み出して、社内人工費の発生推移パターンに基づいて社内人工費の最終コストの予測値を算出し、個別購入情報記憶手段に記憶されている情報を読み出して、個別購入費の発生推移パターンに基づいて個別購入費の最終コストの予測値を算出し、算出した３つの予測値を加算してプロジェクト最終コストの予測値を算出するコスト計算手段と、
を備えることを特徴とするプロジェクトコスト予測装置。
【請求項２】
前記コスト計算手段は、
前記出張経費については経過期間に比例して費用が発生する期間比例型のコスト発生推移パターンを用い、前記社内人工費についてはタスクの進捗率に従って費用が発生するタスク依存型のコスト発生推移パターンを用い、前記個別購入費については購入時に費用が発生する階段型のコスト発生推移パターンを用いる、
ことを特徴とする請求項１に記載のプロジェクトコスト予測装置。
【請求項３】
プロジェクトの最終コストを予測するプロジェクトコスト予測装置におけるプロジェクトコスト予測方法であって、
前記プロジェクトコスト予測装置が、
対象プロジェクトの出張経費の予算情報および実績情報、当該プロジェクトの開始予定日および終了予定日、実際の開始日、の情報を記憶するためのプロジェクト基本情報記憶手段と、
作業時間に基づく作業者の人件費を社内人工費とした場合に、対象プロジェクトのタスク毎の社内人工費の予算情報および実績情報、タスク毎の進捗率、の情報をタスク毎に記憶するためのタスク情報記憶手段と、
材料費および外注費を含む購入アイテムを識別する購入ＩＤ、購入アイテムの個別購入費の予算情報および実績情報を記憶するための個別購入情報記憶手段と、
を備える場合に、
前記プロジェクト基本情報記憶手段に記憶されている情報を読み出して、出張経費の発生推移パターンに基づいて出張経費の最終コストの予測値を算出する出張経費最終コスト予測ステップと、
前記タスク情報記憶手段に記憶されている情報を読み出して、社内人工費の発生推移パターンに基づいて社内人工費の最終コストの予測値を算出する社内人工費最終コスト予測ステップと、
前記個別購入情報記憶手段に記憶されている情報を読み出して、個別購入費の発生推移パターンに基づいて個別購入費の最終コストの予測値を算出する個別購入費最終コスト予測ステップと、
算出した３つの予測値を加算してプロジェクト最終コストの予測値を算出するプロジェクト最終コスト予測ステップと、
を含むことを特徴とするプロジェクトコスト予測方法。
【請求項４】
前記出張経費最終コスト予測ステップでは、経過期間に比例して費用が発生する期間比例型のコスト発生推移パターンを用い、
前記社内人工費最終コスト予測ステップでは、タスクの進捗率に従って費用が発生するタスク依存型のコスト発生推移パターンを用い、
前記個別購入費最終コスト予測ステップでは、購入時に費用が発生する階段型のコスト発生推移パターンを用いる、
ことを特徴とする請求項３に記載のプロジェクトコスト予測方法。
【請求項５】
請求項３または４に記載のプロジェクトコスト予測方法をコンピュータに実行させることを特徴とするプロジェクトコスト予測プログラム。
【発明の詳細な説明】
【技術分野】
【０００１】
本発明は、進行中のプロジェクトの最終コストを予測するプロジェクトコスト予測装置に関する。
【背景技術】
【０００２】
従来、進行中のプロジェクトにかかる最終コストを予測する方法として、進行中のある時点において発生しているコストから最終コストを予測する方法がある。例えば、下記特許文献１、２では、材料費や人件費等の項目ごとにコストを予測し、項目ごとに予測したコストを加算することでプロジェクト全体における最終コストを予測する方法が開示されている。
【先行技術文献】
【特許文献】
【０００３】
【特許文献１】特表２００３−５３４５８４号公報
【特許文献２】特開２００５−２５８５３０号公報
【発明の概要】
【発明が解決しようとする課題】
【０００４】
しかしながら、上記従来の技術によれば、各項目において今後発生するコストを、進捗に基づいて予測している。そのため、作業の進捗と相関のない項目については、現在発生しているコストに基づいて今後発生するコストを正確に予測することはできない、という問題があった。
【０００５】
本発明は、上記に鑑みてなされたものであって、プロジェクト最終コストの予測精度を向上可能なプロジェクトコスト予測装置を得ることを目的とする。
【課題を解決するための手段】
【０００６】
上述した課題を解決し、目的を達成するために、本発明は、出張経費を管理する外部システムから対象プロジェクトで発生した出張経費の実績情報を取得する出張経費実績取得手段と、対象プロジェクトの出張経費の予算情報および実績情報、当該プロジェクトの開始予定日および終了予定日、実際の開始日、の情報を記憶するためのプロジェクト基本情報記憶手段と、作業時間に基づく作業者の人件費である社内人工費を管理する外部システムから対象プロジェクトのタスクで発生した社内人工費の実績情報を取得する社内人工費実績取得手段と、対象プロジェクトのタスク毎の社内人工費の予算情報および実績情報、タスク毎の進捗率、の情報をタスク毎に記憶するためのタスク情報記憶手段と、材料費および外注費を含む購入アイテムの個別購入費を管理する外部システムから対象プロジェクトで発生した個別購入費の実績情報を取得する個別購入費実績取得手段と、購入アイテムを識別する購入ＩＤ、個別購入費の予算情報および実績情報を記憶するための個別購入情報記憶手段と、前記プロジェクト基本情報記憶手段に記憶されている情報を読み出して、出張経費の発生推移パターンに基づいて出張経費の最終コストの予測値を算出し、前記タスク情報記憶手段に記憶されている情報を読み出して、社内人工費の発生推移パターンに基づいて社内人工費の最終コストの予測値を算出し、個別購入情報記憶手段に記憶されている情報を読み出して、個別購入費の発生推移パターンに基づいて個別購入費の最終コストの予測値を算出し、算出した３つの予測値を加算してプロジェクト最終コストの予測値を算出するコスト計算手段と、を備えることを特徴とする。
【発明の効果】
【０００７】
本発明によれば、プロジェクト最終コストの予測精度を向上することができる、という効果を奏する。
【図面の簡単な説明】
【０００８】
【図１】図１は、プロジェクトコスト予測装置の構成例を示す図である。
【図２】図２は、プロジェクト基本情報の構成例を示す図である。
【図３】図３は、タスク情報の構成例を示す図である。
【図４】図４は、個別購入情報の構成例を示す図である。
【図５】図５は、出張経費の情報を取得する処理を示すフローチャートである。
【図６】図６は、社内人工費の情報を取得する処理を示すフローチャートである。
【図７】図７は、個別購入費の情報を取得する処理を示すフローチャートである。
【図８】図８は、プロジェクト最終コスト予測処理を示すフローチャートである。
【図９】図９は、出張経費のコスト発生推移パターンを示す図である。
【図１０】図１０は、社内人工費のコスト発生推移パターンを示す図である。
【図１１】図１１は、個別購入費のコスト発生推移パターンを示す図である。
【図１２】図１２は、プロジェクトコスト予測プログラムを実行可能な電子計算機の構成例を示す図である。
【発明を実施するための形態】
【０００９】
以下に、本発明にかかるプロジェクトコスト予測装置の実施の形態を図面に基づいて詳細に説明する。なお、この実施の形態によりこの発明が限定されるものではない。
【００１０】
実施の形態．
図１は、プロジェクトコスト予測装置の構成例を示す図である。プロジェクトコスト予測装置は、プロジェクト基本情報入力部１と、出張経費実績取得部２と、プロジェクト基本情報記憶部３と、タスク情報入力部４と、社内人工費実績取得部５と、タスク情報記憶部６と、個別購入情報入力部７と、個別購入費実績取得部８と、個別購入情報記憶部９と、コスト計算部１０と、を備える。
【００１１】
プロジェクト基本情報入力部１は、操作者がプロジェクトに関する基本情報を入力するための入力部である。出張経費実績取得部２は、外部の既存データベースから出張経費の実績情報を取得する。プロジェクト基本情報記憶部３は、プロジェクト基本情報入力部１において入力されたプロジェクト基本情報、および出張経費実績取得部２において取得された出張経費の実績情報を記憶するための記憶部である。
【００１２】
タスク情報入力部４は、操作者がプロジェクトを構成する全てのタスクについて、タスク毎の情報を入力するための入力部である。社内人工費実績取得部５は、外部の既存データベースから社内人工費の実績情報を取得する。社内人工費とは、対象のタスクの担当者が当該タスクに費やした作業時間に基づいて算出された人件費を示す。タスク情報記憶部６は、タスク情報入力部４において入力されたタスク情報、および社内人工費実績取得部５において取得された社内人工費の実績情報を記憶するための記憶部である。
【００１３】
個別購入情報入力部７は、操作者が材料費や外注費等の個別アイテム毎に個別購入情報を入力するための入力部である。個別購入費実績取得部８は、外部の既存データベースから個別購入情報に対応する材料費や外注費の個別購入費の実績情報を取得する。個別購入情報記憶部９は、個別購入情報入力部７において入力された個別購入情報、および個別購入費実績取得部８において取得された材料費や外注費の個別購入費の実績情報を記憶するための記憶部である。
【００１４】
コスト計算部１０は、プロジェクト基本情報記憶部３、タスク情報記憶部６、および個別購入情報記憶部９から読み出した各項目の情報を用いて、プロジェクトの最終コストを予測する。
【００１５】
ここで、各記憶部が記憶している情報の内容について説明する。まず、プロジェクト基本情報記憶部３が記憶している情報について説明する。図２は、プロジェクト基本情報記憶部３が記憶しているプロジェクト基本情報の構成例を示す図である。プロジェクト基本情報は、プロジェクトＩＤと、プロジェクト名称と、開始予定日と、終了予定日と、開始日と、終了日と、出張経費予算と、出張経費実績と、から構成される。
【００１６】
プロジェクトＩＤは、各プロジェクトを特定するために付与されたＩＤである。プロジェクト名称は、前記プロジェクトＩＤと１対１で対応し、顧客や製品の名称等を含むプロジェクトを表す名称である。開始予定日は、前記プロジェクトＩＤおよび前記プロジェクト名称で表されたプロジェクトを開始する予定日である。終了予定日は、当該プロジェクトを終了する予定日である。開始日は、当該プロジェクトの実際の開始日（実績）である。終了日は、当該プロジェクトの実際の終了日（実績）である。当該プロジェクトが進行中のときは空欄となる。出張経費予算は、当該プロジェクトで計上した出張経費の予算である。出張経費実績は、当該プロジェクトで発生した出張経費の実績である。
【００１７】
プロジェクト基本情報記憶部３は、例えば、プロジェクトＩＤ：Ｐ０００１、プロジェクト名称：ＸＹＺ社向けＡＢＣシステム導入プロジェクト、開始予定日：２０１１／１／１８、終了予定日：２０１１／１／２９、開始日：２０１１／１／１８、終了日：（進行中のため空白）、出張経費予算：１，０００，０００、出張経費実績：４００，０００、のように各情報をプロジェクト毎に記憶する。なお、備考に示すように、出張経費実績のみ出張経費実績取得部２が取得・入力し、その他の項目はプロジェクト基本情報入力部１から入力する。
【００１８】
つぎに、タスク情報記憶部６が記憶している情報について説明する。図３は、タスク情報記憶部６が記憶しているタスク情報の構成例を示す図である。タスク情報は、プロジェクトＩＤと、タスクＩＤと、タスク名称と、開始予定日と、終了予定日と、開始日と、終了日と、進捗率と、社内人工費予算と、社内人工費実績と、から構成される。
【００１９】
プロジェクトＩＤは、各プロジェクトを特定するために付与されたＩＤである。タスクＩＤは、各プロジェクトで設定されている個々のタスクを特定するためのＩＤである。タスク名称は、前記タスクＩＤと１対１で対応し、当該プロジェクトにおけるタスクの内容を表す名称である。開始予定日は、当該タスクの作業開始の予定日である。終了予定日は、当該タスクの作業終了の予定日である。開始日は、当該タスクの実際の作業を開始した日（実績）である。終了日は、当該タスクの実際の作業が終了した日（実績）である。当該タスクが進行中のときは空欄となる。進捗率は、当該タスクの現在の進捗率を表す。社内人工費予算は、当該タスクに割り当てられた予算を示す。社内人工費実績は、当該タスクで実際に発生している費用の実績である。
【００２０】
タスク情報記憶部６は、例えば、プロジェクトＩＤ：Ｐ０００１、タスクＩＤ：Ｔ０１、タスク名称：ＺＺＺ機能詳細設計、開始予定日：２０１１／０１／１８、終了予定日：２０１１／０１／２９、開始日：２０１１／０１／１８、終了日：（未記入）、進捗率：０．５０、社内人工費予算：５００，０００、社内人工費実績：３００，０００、のように各情報をタスク毎に記憶する。なお、備考に示すように、社内人工費実績のみ社内人工費実績取得部５が取得・入力し、その他の項目はタスク情報入力部４から入力する。
【００２１】
つぎに、個別購入情報記憶部９が記憶している情報について説明する。図４は、個別購入情報記憶部９が記憶している個別購入情報の構成例を示す図である。個別購入情報は、プロジェクトＩＤと、購入ＩＤと、個別購入費予算と、個別購入費実績と、から構成される。
【００２２】
プロジェクトＩＤは、各プロジェクトを特定するために付与されたＩＤである。購入ＩＤは、各プロジェクトにおいて費用の発生が予定されている材料費や外注費等のアイテム（以下、購入アイテムとする。）について、各購入アイテムを特定するために付与されたＩＤである。個別購入費予算は、上記購入ＩＤで示される個別の購入アイテムに割り当てられた予算を示す。個別購入費実績は、上記購入ＩＤで示される個別の購入アイテムの実際の費用（実績）を示す。
【００２３】
個別購入情報記憶部９は、例えば、プロジェクトＩＤ：Ｐ０００１、購入ＩＤ：Ｋ、個別購入費予算：１０，０００、個別購入費実績：１２，０００、のように各情報を購入アイテムごとに記憶する。なお、備考に示すように、個別購入費実績のみ個別購入費実績取得部８が取得・入力し、その他の項目は個別購入情報入力部７から入力する。
【００２４】
つづいて、プロジェクトコスト予測装置におけるプロジェクト最終コスト予測処理について説明する。本実施の形態では、出張経費、社内人工費、および個別購入費の項目ごとにコスト発生推移パターンが異なることに着目し、項目ごとに算出した最終コストの予測値を加算することにより、プロジェクト全体の最終コストの予測値を算出する。まず、各項目の情報を取得するまでの方法について説明する。
【００２５】
図５は、出張経費の情報を取得する処理を示すフローチャートである。最初に、プロジェクト基本情報入力部１が、プロジェクト開始前に、操作者の入力によるプロジェクトに関する基本情報を受け付けて、プロジェクト基本情報記憶部３に記憶させる（ステップＳ１１）。具体的に、操作者は、プロジェクトＩＤ、プロジェクト名称、開始予定日、終了予定日、および出張経費予算の項目を入力する。
【００２６】
つぎに、プロジェクトが開始すると、プロジェクト基本情報入力部１が、操作者の入力により開始日の情報を受け付けて、プロジェクト基本情報記憶部３に記憶させる（ステップＳ１２）。
【００２７】
そして、出張経費実績取得部２が、既存の外部システムとして、例えば、出張旅費精算システムから、対象プロジェクトに該当する出張経費実績の情報を取得し、プロジェクト基本情報記憶部３に記憶させる（ステップＳ１３）。出張旅費精算システムから対象プロジェクトの出張経費実績の情報を取得する場合、プロジェクトＩＤで対象プロジェクトを特定することができる。これにより、プロジェクトコスト予測装置では、プロジェクト基本情報記憶部３において図２に示す情報を保持することができる。なお、プロジェクト進行中の場合、終了日は空白のままでよい。終了日は、プロジェクト完了後に入力する。
【００２８】
図６は、社内人工費の情報を取得する処理を示すフローチャートである。最初に、タスク情報入力部４が、プロジェクト開始前に、操作者の入力によりタスクに関する情報を受け付けて、タスク情報記憶部６に記憶させる（ステップＳ２１）。具体的に、作業者は、プロジェクトＩＤ、タスクＩＤ、タスク名称、開始予定日、終了予定日、および社内人工費予算の項目を入力する。
【００２９】
つぎに、プロジェクトが開始すると、タスク情報入力部４が、操作者の入力により開始日および進捗率の情報を受け付けて、タスク情報記憶部６に記憶させる（ステップＳ２２）。
【００３０】
そして、社内人工費実績取得部５が、既存の外部システムとして、例えば、作業時間管理システムから、対象プロジェクトに該当するタスクの作業時間から求められる社内人工費実績の情報を取得し、タスク情報記憶部６に記憶させる（ステップＳ２３）。作業時間管理システムから対象プロジェクトの社内人工費実績の情報を取得する場合、プロジェクトＩＤおよびタスクＩＤで対象タスクを特定することができる。これにより、プロジェクトコスト予測装置では、タスク情報記憶部６においてタスク毎に図３に示す情報を保持することができる。なお、タスク進行中の場合、終了日は空白のままでよい。終了日は、タスク完了後に入力する。
【００３１】
図７は、個別購入費の情報を取得する処理を示すフローチャートである。最初に、個別購入情報入力部７が、プロジェクト開始前に、操作者の入力により材料費や外注費等の購入アイテム毎の個別購入情報を受け付けて、個別購入情報記憶部９に記憶させる（ステップＳ３１）。具体的に、作業者は、プロジェクトＩＤ、購入ＩＤ、および個別購入費予算の項目を入力する。
【００３２】
つぎに、プロジェクトが開始すると、前記購入ＩＤに関する費用が発生した場合、個別購入費実績取得部８が、既存の外部システムとして、例えば、購買システムから、該当する購入ＩＤの材料費または外注費として個別購入費実績の情報を取得し、個別購入情報記憶部９に記憶させる（ステップＳ３２）。購買システムから個別購入費実績の情報を取得する場合、購入ＩＤで対象の購入アイテムを特定することができる。これにより、プロジェクトコスト予測装置では、個別購入情報記憶部９において購入アイテム毎に図４に示す情報を保持することができる。
【００３３】
つづいて、プロジェクト最終コストを予測する方法について説明する。図８は、プロジェクト最終コスト予測処理を示すフローチャートである。まず、コスト計算部１０は、プロジェクト基本情報記憶部３から、出張経費実績を含むプロジェクト基本情報を読み出し（ステップＳ４１）、プロジェクト終了時における出張経費の予測値を算出する（ステップＳ４２）。
【００３４】
ここで、出張経費のコスト発生推移について説明する。図９は、出張経費のコスト発生推移パターンを示す図である。横軸は時間を、縦軸はコストを示す。出張経費については、期間に比例して費用が発生するとして、コスト計算部１０は、出張経費の予測値を、出張経費実績をこれまでの実績経過期間で期間割りした値にプロジェクト期間を乗算することにより算出する。具体的に、出張経費実績をＡA、開始日からの経過期間をｎ、プロジェクトの開始予定日から終了予定日までの期間をＮ、とした場合、出張経費予測値ＹAは、以下の式（１）により求めることができる。ここで、経過期間ｎは、開始日と予測する日の情報から求めることができる。
【００３５】
ＹA＝ＡA／ｎ×Ｎ  …（１）
【００３６】
なお、出張経費実績が「０」の場合、出張経費予算をそのまま出張経費の予測値として用いる。
【００３７】
つぎに、コスト計算部１０は、タスク情報記憶部６から、社内人工費実績を含むタスク情報を読み出し（ステップＳ４３）、プロジェクト終了時における社内人工費の予測値を算出する（ステップＳ４４）。
【００３８】
ここで、社内人工費のコスト発生推移について説明する。図１０は、社内人工費のコスト発生推移パターンを示す図である。横軸は時間を、縦軸はコストを示す。社内人工費については、タスクに依存して費用が発生するとして、コスト計算部１０は、社内人工費の予測値を、各タスクについて社内人工費実績を進捗率で除算した値を、プロジェクト内のタスク分全て加算することによる算出する。具体的に、タスクＩＤ：１の社内人工費実績をＡB1、タスクＩＤ：１の進捗率をＳ1、とした場合、タスクＩＤ：１の社内人工費予測値ＹB1は、以下の式（２）により求めることができる。
【００３９】
ＹB1＝ＡB1／Ｓ1  …（２）
【００４０】
そして、タスク数がＭ個（タスクＩＤ：１〜Ｍ）、社内人工費予測値をＹBとした場合、社内人工費予測値ＹBは、以下の式（３）により求めることができる。
【００４１】
ＹB＝タスクＩＤ：１〜Ｍの社内人工費予測値の総和  …（３）
【００４２】
なお、社内人工費実績が「０」の場合、社内人工費予算をそのまま社内人工費の予測値として用いる。
【００４３】
つぎに、コスト計算部１０は、個別購入情報記憶部９から、個別購入費実績を含む個別購入情報を読み出し（ステップＳ４５）、プロジェクト終了時における個別購入費の予測値を算出する（ステップＳ４６）。
【００４４】
ここで、個別購入費のコスト発生推移について説明する。図１１は、個別購入費のコスト発生推移パターンを示す図である。横軸は時間を、縦軸はコストを示す。個別購入費については、購入ＩＤで示される材料費や外注費などの個別購入費が発生した段階で上積みされていくことから、階段状に費用が推移することになる。コスト計算部１０は、購入ＩＤで示される材料費や外注費などの購入アイテムの購入が発生する毎に個別購入費実績を加算する。具体的に、コスト計算部１０は、購入アイテムがＫ個（購入ＩＤ：１〜Ｋ）、個別購入費予測値ＹCとした場合、各購入ＩＤにおいて、購入済みのもの（個別購入費実績有り）については個別購入費実績を、未購入のもの（個別購入費実績無し）については個別購入費予算を用いて、全ての購入ＩＤ分を加算することにより求める。すなわち、以下の式（４）のように求めることができる。
【００４５】
ＹC＝購入ＩＤ：１〜Ｋのうち購入済みのものの個別購入費実績の総和
＋購入ＩＤ：１〜Ｋのうち未購入のものの個別購入費予算の総和  …（４）
【００４６】
そして、コスト計算部１０は、以下の式（５）に示すように、上記処理により求めた出張経費予測値ＹA、社内人工費予測値ＹB、および個別購入費予測値ＹCを加算することにより、プロジェクト最終コスト予測値を算出する（ステップＳ４７）。
【００４７】
プロジェクト最終コスト予測値＝ＹA＋ＹB＋ＹC  …（５）
【００４８】
このように、コストが発生する項目別に異なるコスト発生推移パターンを用いて各項目の予測値を算出し、それらを加算することにより、プロジェクト全体で発生する最終コストを予測することができる。
【００４９】
なお、本実施の形態では、出張経費を期間比例型、社内人工費をタスク依存型、材料費・外注費などの個別購入費を階段型としたが、これに限定するものではなく、プロジェクト最終コストを予測する対象のプロジェクトや各会社の仕事の進め方等に応じて、各項目のコスト発生推移パターンを適宜変更してもよい。例えば、出張がプロジェクトの後半に集中している場合であれば、期間比例型ではなくタスク依存型にしてもよい。各プロジェクトや会社等によってコスト発生推移パターンを変更することにより、実情にあわせたプロジェクト最終コストの予測精度を向上することができる。
【００５０】
また、プロジェクト最終コストを予測する処理として、出張経費、社内人工費、個別購入費の順に予測値を算出したが、各予測値の算出順はこれに限定するものではなく、順番を変えても、同等の効果を得ることができる。
【００５１】
以上説明したように、本実施の形態では、プロジェクトコスト予測装置において、出張経費、社内人工費、個別購入費の項目毎に最終コストを予測する際、それぞれのコスト発生推移パターンに基づいて項目毎に予測し、項目毎に算出した予測値を加算してプロジェクト最終コストを予測することとした。これにより、実情に合わせて項目毎にコストを予測することができ、プロジェクト最終コストの予測精度を向上することができる。
【００５２】
なお、図１２は、本実施の形態にかかるプロジェクトコスト予測装置としての機能を備え、本実施の形態のプロジェクトコスト予測プログラムを実行可能な電子計算機の構成例を示す図である。
【００５３】
この電子計算機は、たとえば、ＣＰＵを含む制御ユニット１０１（上記出張経費実績取得部２、社内人工費実績取得部５、個別購入費実績取得部８、コスト計算部１０に相当）と、メモリユニット１０２（上記プロジェクト基本情報記憶部３、タスク情報記億部６、個別購入情報記憶部９に相当）と、表示ユニット１０３と、入力ユニット１０４（上記プロジェクト基本情報入力部１、タスク情報入力部４、個別購入情報入力部７に相当）と、ＣＤ−ＲＯＭドライブユニット１０５と、ディスクユニット１０６と、外部Ｉ／Ｆユニット１０７と、を備え、これらの各ユニットは、それぞれシステムバスＡを介して接続されている。
【００５４】
図１２において、制御ユニット１０１は、上記プロジェクトコスト予測プログラムを実行する。メモリユニット１０２は、ＲＡＭ、ＲＯＭ等の各種メモリを含み、上記制御ユニット１０１が実行すべきプログラム、処理の過程で得られた必要なデータ等を記憶する。表示ユニット１０３は、ＣＲＴやＬＣＤ（液晶表示パネル）等で構成され、電子計算機の使用者に対して各種画面を表示する。入力ユニット１０４は、キーボード、マウス等で構成され、電子計算機の使用者が、各種情報の入力を行うために使用する。また、図示のＣＤ−ＲＯＭ２００には、本実施の形態の処理を記述したプロジェクトコスト予測プログラムが格納されている。
【００５５】
ここで、上記プロジェクトコスト予測プログラムが実行可能な状態になるまでの電子計算機の動作例について説明する。まず、上記のように構成される電子計算機には、ＣＤ−ＲＯＭドライブユニット１０５にセットされたＣＤ−ＲＯＭ２００から、プロジェクトコスト予測プログラムがディスクユニット１０６にインストールされる。そして、電子計算機の起動時またはプログラムの実行時に、ディスクユニット１０６から読み出されたプログラムがメモリユニット１０２に格納される。この状態で、制御ユニット１０１は、メモリユニット１０２に格納されたプログラムにしたがって、プロジェクトコスト予測処理を実行する。
【００５６】
なお、本実施の形態においては、ＣＤ−ＲＯＭ２００にて上記プロジェクトコスト予測プログラムを提供しているが、このプログラムの記録媒体は、これに限定されることなく、システムを構成するコンピュータに応じて、たとえば、フロッピー（登録商標）ディスク、ＤＶＤ等の他の記録媒体を用いることも可能である。また、電子メール、インターネット等の伝送媒体により提供されたプログラムを用いることとしてもよい。
【符号の説明】
【００５７】
１  プロジェクト基本情報入力部
２  出張経費実績取得部
３  プロジェクト基本情報記憶部
４  タスク情報入力部
５  社内人工費実績取得部
６  タスク情報記憶部
７  個別購入情報入力部
８  個別購入費実績取得部
９  個別購入情報記憶部
１０  コスト計算部
【図１】
2012238049.tif 000003
【図２】
2012238049.tif 000004
【図３】
2012238049.tif 000005
【図４】
2012238049.tif 000006
【図５】
2012238049.tif 000007
【図６】
2012238049.tif 000008
【図７】
2012238049.tif 000009
【図８】
2012238049.tif 000010
【図９】
2012238049.tif 000011
【図１０】
2012238049.tif 000012
【図１１】
2012238049.tif 000013
【図１２】
2012238049.tif 000014